(57)【要約】【課題】ハイブリッド車両において、エンジン始動中にモータトルクが飽和或いは低下するのを抑制する。【解決手段】ハイブリッド車両の制御装置は、エンジンの始動完了時に要求駆動力がモータトルク上限値に到達するような要求駆動力変化率を演算し、要求駆動力変化率が所定の閾値以下となった場合にエンジンを始動する。エンジン始動中は該閾値で駆動力の上昇率を制限する。【選択図】図１
2015093663.tif 000002
【特許請求の範囲】
【請求項１】
エンジンと駆動用モータの動力で走行するHEVモードと、駆動用モータの動力のみで走行するEVモードと、を備え、要求駆動力に従い前記駆動用モータに駆動力を発生させるハイブリッド車両の制御装置において、
前記エンジンの始動完了時に要求駆動力がモータトルク上限値に到達するような要求駆動力変化率を演算する要求駆動力変化率演算手段と、
前記要求駆動力変化率と所定の閾値を比較し、前記要求駆動力変化率が前記閾値以下となった場合に前記エンジンを始動するエンジン始動制御手段と、
前記エンジンの始動中は、前記閾値で駆動力の変化率を制限する駆動力制限手段と、を備える、
ことを特徴とするハイブリッド車両の制御装置。
【請求項２】
請求項１に記載のハイブリッド車両の制御装置において、
前記要求駆動力変化率演算手段は、前記駆動用モータのモータ回転数と車両運動方程式と要求駆動力と走行抵抗と前記エンジンの始動にかかる時間に基づいて前記要求駆動力変化率を演算する、
ことを特徴とするハイブリッド車両の制御装置。
【請求項３】
請求項１または請求項２に記載のハイブリッド車両の制御装置において、
前記要求駆動力変化率演算手段は、前記エンジンの始動完了時に要求駆動力がモータトルク上限値からマージントルクを引いた値に到達するように前記要求駆動力変化率を演算する、
ことを特徴とするハイブリッド車両の制御装置。
【請求項４】
請求項１から請求項３のいずれかに記載のハイブリッド車両の制御装置において、
前記エンジンと前記駆動用モータとを断続するエンジン動力伝達手段を更に備え、
前記エンジンの始動のためのクランキングを、前記駆動用モータとは異なるエンジンを始動可能なエンジン始動用モータのモータトルクと、前記エンジンおよび前記エンジン動力伝達手段間の伝達トルクとの併用または前記伝達トルクのみにより行う場合に、
前記要求駆動力変化率演算手段は、前記エンジンの始動完了時に要求駆動力がモータトルク上限値からマージントルクと前記エンジンの始動に必要な前記伝達トルクを引いた値に到達するように前記要求駆動力変化率を演算する、
ことを特徴とするハイブリッド車両の制御装置。
【請求項５】
請求項１から請求項４のいずれかに記載のハイブリッド車両の制御装置において、
前記エンジンと前記駆動用モータとの動力を出力軸へ伝達可能な総動力伝達手段を更に備え、
前記エンジンの始動開始後に前記総動力伝達手段をスリップさせることにより、または既にスリップ状態にある場合は前記総動力伝達手段のスリップ回転数を増加させることにより前記モータ回転数が前記総動力伝達手段の出力回転数より高い状態でエンジン始動を行う場合に、
前記要求駆動力変化率演算手段は、前記総動力伝達手段のスリップ回転数増加量と前記駆動用モータのモータ回転数と車両運動方程式と要求駆動力と走行抵抗と前記エンジンの始動にかかる時間に基づいて前記要求駆動力変化率を演算する、
ことを特徴とするハイブリッド車両の制御装置。
【発明の詳細な説明】
【技術分野】
【０００１】
本発明は、ハイブリッド車両の制御装置に関する。
【背景技術】
【０００２】
ハイブリッド車両において、エンジン始動中にモータトルクが飽和し車両の駆動力低下やエンジン始動時間が長くなることを防ぐために、エンジン始動完了時にモータトルクが上限値に到達すると判断した場合に、エンジン始動を開始する技術が知られている（特許文献１参照）。より具体的には、アクセル開度変化率から算出したエンジン始動中の要求駆動力上昇値とエンジン始動に必要なクラッチトルク補償量とをモータトルク上限値から引いた値を閾値とし、要求駆動力がその閾値を超えたことを条件にエンジン始動を開始する。
【先行技術文献】
【特許文献】
【０００３】
【特許文献１】特開２００５−１３８７４３号公報
【発明の概要】
【発明が解決しようとする課題】
【０００４】
一般的に、モータトルク上限値はモータ回転数の上昇に伴い減少することが知られている。そのため、エンジン始動中にモータ回転数が上昇することで、モータトルク上限値がエンジン始動時の想定よりも減少する場合がある。また、エンジン始動中にアクセル開度が変わり、エンジン始動時の想定よりも要求駆動力が上昇する場合がある。いずれの場合も、エンジン始動中にモータトルクが飽和或いは減少する可能性がある。
【０００５】
本発明は、エンジン始動中にモータトルクが飽和或いは低下するのを抑制する技術を提供することを目的とする。
【課題を解決するための手段】
【０００６】
本発明によるハイブリッド車両の制御装置は、エンジンの始動完了時に要求駆動力がモータトルク上限値に到達するような要求駆動力変化率を演算する要求駆動力変化率演算手段を備え、要求駆動力変化率が所定の閾値以下となった場合にエンジンを始動する。エンジン始動中は該閾値で駆動力の変化率を制限する。
【発明の効果】
【０００７】
本発明によれば、要求駆動力変化率が所定の閾値以下となったタイミングでエンジン始動を開始し、かつ、エンジン始動中は、閾値で駆動力の変化率を制限するので、エンジン始動中に駆動力がモータトルク上限値を超えない範囲で駆動力の上昇量を確保することができ、意図せず駆動力が停滞、或いは低下することを防ぐことができる。
【図面の簡単な説明】
【０００８】
【図１】図１は、本案の一実施形態におけるハイブリッド車両の制御装置が適用されたパラレルハイブリッド車両の駆動系を示すシステム構成図である。
【図２】図２は、モータ回転数とモータトルク上限値の関係を表す一般的なモータ特性図である。
【図３】図３は、第１の実施形態におけるハイブリッド車両の制御装置をパラレルハイブリッド車両に適用した場合の動作例を示す図である。
【図４】図４は、第１の実施形態におけるハイブリッド車両の制御装置をパラレルハイブリッド車両に適用した場合において、モータ回転数がより高回転である場合の動作例を示す図である
【図５】図５は、第１の実施形態におけるハイブリッド車両の制御装置をパラレルハイブリッド車両に適用した場合において、モータ回転数が同じで変速比がより小さい場合の動作例を示す図である。
【図６】図６は、本発明における、ハイブリッド車両の制御装置をパラレルハイブリッド車両に適用した場合において、エンジン始動制御に係る処理の流れを示したフローチャート図である。
【図７】図７は、第２の実施形態におけるハイブリッド車両の制御装置をパラレルハイブリッド車両に適用した場合の動作例を示す図である。
【図８】図８は、第３の実施形態におけるハイブリッド車両の制御装置をパラレルハイブリッド車両に適用した場合の動作例を示す図である。
【図９】図９は、第４の実施形態におけるハイブリッド車両の制御装置をパラレルハイブリッド車両に適用した場合の動作例を示す図である。
【発明を実施するための形態】
【０００９】
以下、図面等を参照して本発明の実施形態について説明する。
【００１０】
＜第１の実施形態＞
図１は、本発明におけるハイブリッド車両の制御装置を適用したパラレルハイブリッド車両の駆動系を示すシステム構成図である。同図に示すように、本実施形態によるハイブリッド車両は、駆動用モータ１、エンジン２、第１クラッチ（乾式クラッチ）３、第２クラッチ（湿式クラッチ）４、変速機５、エンジン始動用モータ６、第２クラッチ入力回転数センサ７、第２クラッチ出力回転数センサ８、インバータ９、バッテリー１０、アクセルポジションセンサ１１、エンジン回転数センサ１２、クラッチ油温センサ１３、ストローク位置センサ１４、統合コントローラ１５、変速機コントローラ１６、クラッチコントローラ１７、エンジンコントローラ１８、モータコントローラ１９、およびバッテリーコントローラ２０を備える。
【００１１】
駆動用モータ１は、交流同期モータであり、駆動トルク制御によって駆動され、また、回生ブレーキ制御によって回生運転が行われる。回生運転によって得られるエネルギーは、バッテリー１０に回収される。
【００１２】
エンジン２は、希薄燃焼可能なエンジンであり、後述するエンジンコントローラ１８により、エンジントルクがエンジントルク指令値と一致するように制御される。
【００１３】
第１クラッチ３は、エンジン２と駆動用モータ１間の締結／解放を行うエンジン動力伝達手段であり、第１クラッチ３が締結状態なら駆動用モータトルクとエンジントルク、解放状態であれば駆動用モータトルクのみ、後述する第２クラッチ４へと伝達する。
【００１４】
第２クラッチ４は、エンジン２と駆動用モータ１との動力を出力軸へ伝達可能な総動力伝達手段であり、クラッチ油圧（押付力）に応じて伝達トルク（クラッチトルク容量）が発生する。第２クラッチ４は、後述する変速機５を介して、第１クラッチ締結時であればエンジン２および駆動用モータ１から出力されたトルクを、第１クラッチ解放時であれば駆動用モータ１のみから出力されたトルクを駆動輪へと伝達する。
【００１５】
変速機５は、有段であり複数の遊星歯車から構成される。変速機５の内部のクラッチならびにブレーキをそれぞれ締結／解放して、力の伝達経路を変えることにより変速する。
【００１６】
エンジン始動用モータ６は、エンジン始動に必要なクランキングトルクをエンジン２に伝達する。
【００１７】
第２クラッチ入力回転数センサ７は、第２クラッチ入力（駆動用モータ）の位置および回転数センサであり、現在の第２クラッチ入力回転数を検出する。
【００１８】
第２クラッチ出力回転数センサ８は、現在の第２クラッチ出力回転数を検出する。
【００１９】
インバータ９は、高電圧インバータであり、直流-交流変換を行い駆動用モータ１の駆動電流を生成する。
【００２０】
バッテリー１０は、高電圧バッテリーであり、インバータ９を介して駆動用モータ１に電流を供給するとともに、駆動用モータ１からの回生エネルギーを蓄積する。
【００２１】
アクセルポジションセンサ１１は、運転者の加速意志であるアクセル開度を検出する。
【００２２】
エンジン回転数センサ１２は、現在のエンジン回転数を検出する。
【００２３】
クラッチ油温センサ１３は、クラッチの油温を検出する。
【００２４】
ストローク位置センサ１４は、第１クラッチ３のストローク位置を検出する。
【００２５】
統合コントローラ１５は、バッテリー状態、アクセル開度、および車速（変速機出力回転数に同期した値）から目標駆動トルクを演算する。そして、その演算結果に基づき各アクチュエータ（駆動用モータ１、エンジン２、第１クラッチ３、第２クラッチ４、変速機５、エンジン始動用モータ６）に対する指令値を演算し、後述する各コントローラへ送信する。
【００２６】
変速機コントローラ１６は、統合コントローラ１５からの変速指令を達成するように変速機５の変速制御を行う。
【００２７】
クラッチコントローラ１７は、統合コントローラ１５からの各クラッチ油圧（電流）指令値に対してクラッチ油圧（電流）指令値を実現するように、ソレノイドバルブの電流を制御する。
【００２８】
エンジンコントローラ１８は、統合コントローラ１５からのエンジントルク指令値に基づいて、スロットルアクチュエータによる吸入空気量と、インジェクタによる燃料噴射量と、点火プラグによる点火時期を操作することにより、エンジントルクがエンジントルク指令値と一致するようにエンジン２を制御する。
【００２９】
モータコントローラ１９は、駆動用モータ１とエンジン始動用モータ６の制御を行う。モータコントローラ１９は、統合コントローラ１５からのモータトルク指令値を達成するように駆動用モータトルクを制御し、また、統合コントローラ１５からのエンジン始動要求に対しては、エンジン始動用モータトルクを制御し、エンジン２を始動する。
【００３０】
バッテリーコントローラ２０は、バッテリー１０の充電状態を管理し、その情報を統合コントローラ１５へ送信する。
【００３１】
以上を前提として、以下、第１の実施形態の詳細について説明する。
【００３２】
通常、エンジンを始動する条件は、アクセル開度やEVモード（エンジン２を使用せず、駆動用モータ１のみの動力で走行するモード）中の要求駆動力等のドライバからの要求、或いはバッテリー１０のSOC低下や車速等の車両状態から判断するシステム要求などが挙げられる。本実施形態においては、それらのエンジン始動条件（従来条件）または後述する始動条件の少なくともいずれか一方が成立した場合にエンジン始動を開始する。
【００３３】
本実施形態においては、後述する演算により得られる要求駆動力変化率を、後述する所定の閾値（始動判断閾値）と比較し、閾値以下となった場合にエンジン始動を開始する。要求駆動力変化率は、エンジン始動完了時に駆動力がモータトルク上限値からマージントルクTmを引いた値に到達するように演算する。なお、マージントルクTm[Nm]は０[Nm]も含む。すなわち、マージントルクTm[Nm]が０の場合には、エンジン始動完了時に駆動力がモータトルク上限値に到達するように要求駆動力変化率を演算する。
【００３４】
本実施形態における要求駆動力変化率は、次（１）式で表す車両運動方程式をα[Nm/s]について解くことで得られる。ここでは、モータトルク出力が図２に示すように、最大トルクTmax[Nm]、P[W]に制限される場合について示す。モータ回転数Nmは第２クラッチ入力回転数センサ７から、走行抵抗frictionは変速段、車速を引数とするマップを参照することで求める。また、走行抵抗frictionはモータ回転数や車両運動方程式を用いて推定してもよい。他の定数については、車両緒元に基づき予め設定する。要求駆動力変化率αの演算は、統合コントローラ１５内で行われ、EVモード中はマイコンのサンプリング毎に常時行う。
【００３５】
【数１】
2015093663.tif 000003
【００３６】
ここで、本実施形態においては、α・t+F00>Tmax-Tmの場合は、α＝(Tmax-Tm-F00)/ｔを用いる。  
【００３７】
始動判断閾値は、任意に設定することができる。例えば、最低限、エンジン始動中にドライバの意思（アクセルを閉じる等）に反して車両駆動力が低下することを防ぎたい場合は、閾値を０[Nm/s]に設定すればよい。これにより、モータトルク飽和状態等によりエンジン始動中に車両駆動力が低下してしまう動作状態になる前にエンジンを始動することができる。エンジン始動中は、駆動力変化率を０Nm/sに保つことでエンジン始動完了時にモータトルク上限値からマージントルクTmを引いた値に駆動力が到達する。すなわち、エンジン始動中は最低限駆動力を一定に保つことが可能となる。
【００３８】
また、例えば、エンジン始動中に最低限β[Nm/s]の車両駆動力上昇率を確保したい場合は、閾値をβ[Nm/s]にすればよい。
【００３９】
EVモード中に常時行われる要求駆動力変化率演算により得られた要求駆動力変化率αが始動判断閾値以下となった場合、図３における「始動開始」のタイミングでエンジン始動を開始し、エンジン始動にかかる時間（始動時間）t[s]を経て、エンジン始動が完了するとHEVモードに移行する。なお、HEVモードとは、エンジン２と駆動用モータ１を併用して走行するモードをいう。
【００４０】
エンジン始動中は、エンジン始動開始時点に演算した要求駆動力変化率αと略一致する始動判断閾値[Nm/s]で駆動力の上昇率を制限する。その結果、要求駆動力変化率αで駆動力を上昇させた場合、始動完了時にモータトルク上限値からマージントルクTmを引いた値に駆動力が到達する。これにより、エンジン始動中のモータトルク飽和や、モータ回転数上昇による駆動力低下を避けることが可能となる。
【００４１】
ここで、要求駆動力変化率αが始動判断閾値に到達するタイミングは、モータ回転数や変速比により異なる。モータ回転数がより高回転である場合の動作イメージを図４に示す（実線で示す）。図４が示す状況は、例えば、低アクセル開度で走行し、始動条件にかかることなく車速が上昇する場合が考えられる。また、図から分かるように、モータ回転数が上昇するとモータトルク上限値は低下する。このため、エンジン始動中に始動判断閾値相当の駆動力上昇率を確保するためには、モータ回転数が低い場合（点線で示す）と比較し、より要求駆動力が低い状態でエンジン始動を開始する必要がある。
【００４２】
また、モータ回転数が同じで変速比がより小さい場合の動作イメージを図５に示す。変速比が小さい場合（実線で示す）、エンジン始動中のモータ回転数上昇は小さいため、エンジン始動中のモータトルク上限値の低下も比較的小さくなる。このため、変速比が大きい場合（点線で示す）と比較し、より要求駆動力が高い状態であっても始動判断閾値相当の駆動力上昇率を確保することが可能である。
【００４３】
本発明における要求駆動力変化率αの演算は、変速比情報、モータ回転数情報、モータトルク上限値情報を用いて行うため、上述したような状況を考慮し、モータ回転数の高低や変速比の大小にかかわらず、適切なタイミングでエンジンを始動することができる。  
【００４４】
前述したエンジン始動制御にかかる処理の流れを、図６に示すフローチャートを参照して説明する。なお、当該処理の流れは第１の実施形態および後述する第２から第４の実施形態すべてに共通する。
【００４５】
まず、ステップＳ５０において、従来条件によりエンジン始動条件が成立しているか否か判断する。成立か否かは、アクセル開度やEVモード中の要求駆動力等のドライバからの要求、或いはバッテリー１０のSOC低下や車速等の車両状態に基づき判断する。判断結果は統合コントローラ１５内に記憶し、ステップＳ５１へ進む。
【００４６】
ステップＳ５１では、上述した要求駆動力変化率αの演算を行い、ステップＳ５２へ進む。
【００４７】
ステップＳ５２では、ステップＳ５１での演算により得られた要求駆動力変化率αと予め設定した所定の閾値とを比較する。要求駆動力変化率αが閾値以下になった場合はステップＳ５３へ進み、エンジン始動フラグを１にする。要求駆動変化率αが閾値以下でなければステップＳ５４へ進み、エンジン始動フラグを０にし、ステップＳ５５へ進む。
【００４８】
ステップＳ５５では、ステップＳ５０において判断した始動条件が成立（従来条件成立）しているか否か、及び上述した始動フラグが１であるか否かを確認する。「従来条件成立」または「始動フラグが１」の少なくともいずれか一方が確認できればステップＳ５６へ進む。いずれも確認できない場合はステップＳ５７へ進む。
【００４９】
そして、ステップＳ５６においてエンジンの始動を実施し、本処理を終了する。ステップＳ５７においては、エンジンを始動することなく、EVモードを継続し、本処理を終了する。なお、EVモード中は当該処理をマイコンのサンプリング毎に常時実施する。
【００５０】
以上、第１の実施形態におけるハイブリッド車両の制御装置に依れば、エンジン２と駆動用モータ１の動力で走行するHEVモードと、駆動用モータ１の動力のみで走行するEVモードと、を備え、要求駆動力に従い駆動用モータに駆動力を発生させるハイブリッド車両の制御装置において、エンジン２の始動完了時に要求駆動力がモータトルク上限値に到達するような要求駆動力変化率αを演算し、演算した要求駆動力変化率αと始動判断閾値とを比較し、要求駆動力変化率αが始動判断閾値以下となった場合にエンジン２の始動を開始する。そして、エンジン２の始動中は、始動判断閾値で駆動力の上昇率を制限する。これにより、エンジン始動中に駆動力がモータトルク上限値を超えない範囲で駆動力の上昇量を確保することができ、意図せず駆動力が停滞、或いは低下することを防ぐことができる。
【００５１】
また、第１の実施形態におけるハイブリッド車両の制御装置に依れば、当該要求駆動力変化率αは、駆動用モータ１のモータ回転数と車両運動方程式と要求駆動力と走行抵抗とエンジン２の始動にかかる時間に基づいて演算する。これにより、精度よく要求駆動力変化率αを演算することができる。
【００５２】
更に、第１の実施形態におけるハイブリッド車両の制御装置に依れば、要求駆動力変化率αは、エンジン２の始動完了時に要求駆動力がモータトルク上限値からマージントルクTmを引いた値に到達するように演算する。これにより、エンジン始動中に意図せずモータトルクが飽和、或いは低下することをより効果的に防ぐことができる。
【００５３】
＜第２の実施形態＞
以下、第２の実施形態について図７を参照して説明する。図７は、本実施形態の動作イメージを示す。
【００５４】
本実施形態の車両構成は、図１で示す構成と同様、或いは図１で示す構成からエンジン始動用モータ６を取り除いた構成となる。
【００５５】
エンジン始動は、始動用モータトルクと第１クラッチトルクの併用、或いは第１クラッチトルクのみのいずれかによるクランキングを想定する。
【００５６】
エンジン始動中は、駆動用モータ１は第１クラッチトルクを補償するトルクを出力するため、始動中の要求駆動力の上限は、モータトルク上限値からマージントルクTm[Nm]と第１クラッチトルクTCL1 [Nm]を引いた値となる。これを考慮し、本実施形態においては、EVモード中は常時、エンジン始動完了時にモータトルク上限値からマージントルクと第１クラッチトルクの両方を引いた値に要求駆動力が到達するように要求駆動力変化率αの演算を実施する。
【００５７】
要求駆動力変化率α[Nm/s]の演算は、エンジン始動に必要な第1クラッチトルク[Nm]を考慮した車両運動方程式を表す次（２）式をαについて解くことにより行う。
【００５８】
【数２】
2015093663.tif 000004
【００５９】
ここで、本実施形態においては、α・t+F00>Tmax-Tm-TCL1の場合は、α＝(Tmax-Tm-TCL1- F00)/tを用いる。そして、演算により得られた要求駆動力変化率αを始動判断閾値と比較し、始動判断閾値以下になった場合はエンジン始動を開始する。エンジン始動中は始動判断閾値[Nm/s]で駆動力の変化率を制限する。
【００６０】
以上、第２の実施形態におけるハイブリッド車両の制御装置に依れば、エンジン２の始動のためのクランキングをエンジン始動用モータ６のモータトルクと第１クラッチトルクとの併用または第１クラッチトルクのみにより行う場合に、要求駆動力変化率αは、エンジン２の始動完了時に要求駆動力がモータトルク上限値からマージントルクTmとエンジン２の始動に必要な第１クラッチトルクTCL1を引いた値に到達するように演算する。これにより、エンジン２の始動に、エンジン２と駆動用モータ1間のクラッチトルクを使う場合においても、エンジン始動中に駆動力がモータトルク上限値を超えない範囲で駆動力の上昇量を確保することができ、意図せず駆動力が停滞、或いは低下することを防ぐことができる。
【００６１】
＜第３の実施形態＞
以下、第３の実施形態について図８を参照して説明する。図８は、本実施形態の動作イメージを示す。
【００６２】
本実施形態の車両構成およびエンジン始動方法は、上述した第１の実施形態、第２の実施形態のいずれをも取り得る。ここでは、第１の実施形態と同様の場合について説明する。
【００６３】
本実施形態では、エンジン始動開始後に、始動時における第１クラッチ締結のショックが駆動輪へ伝達しないように第２クラッチ４をスリップさせる。第２クラッチ４を既にスリップさせている場合は、第２クラッチ４のスリップ回転数をエンジン始動後に更に増加させる。これを考慮したうえで、エンジン始動完了時に要求駆動力がモータトルク上限値からマージントルクTmを引いた値に到達するように要求駆動力変化率αの演算を行う。
【００６４】
要求駆動力変化率α[Nm/s]の演算は、第２クラッチのスリップ回転数Nsを考慮した車両運動方程式である次（３）式をαについて解くことにより行う。第２クラッチのスリップ回転数Nsは、予め設定した値を用いてもよいし、第２クラッチ入力回転数と第２クラッチ出力回転数の差分を用いてもよい。
【００６５】
【数３】
2015093663.tif 000005
【００６６】
ここで、本実施形態においては、α・t+F00>Tmax-Tmの場合は、α＝(Tmax-Tm- F00)/tを用いる。そして、駆動量変化率αを始動判断閾値と比較し、閾値以下となった場合はエンジン始動を開始する。エンジン始動中は、始動判断閾値[Nm/s]で駆動力の変化率を制限する。この結果、例えば、エンジン始動中に要求駆動力の上昇率が始動判断閾値を超える場合であっても、図８で示すように、要求駆動力は始動判断閾値に従い一定の傾きで上昇し、始動完了時にモータトルク上限値からマージントルクTmを引いた値に到達する。これにより、エンジン始動中のモータトルク飽和や、モータ回転数上昇による駆動力低下を避けることが可能となる。
【００６７】
以上、第３の実施形態におけるハイブリッド車両の制御装置に依れば、エンジン２の始動開始後に第２クラッチ４をスリップさせることにより、または既にスリップ状態にある場合は第２クラッチ４のスリップ回転数を増加させることによりモータ回転数が第２クラッチ４の出力回転数より高い状態でエンジン始動を行う場合に、要求駆動力変化率は、第２クラッチ４のスリップ回転数増加量と駆動用モータ１のモータ回転数と車両運動方程式と要求駆動力と走行抵抗とエンジン２の始動にかかる時間に基づいて演算する。これにより、エンジン始動開始後に駆動用モータ１と駆動輪の間のクラッチスリップ量が変化する場合においても、エンジン始動中に駆動力がモータトルク上限値を超えない範囲で駆動力の上昇量を確保することができ、意図せず駆動力が停滞、或いは低下することを防ぐことができる。
【００６８】
＜第４の実施例＞
以下、第４の実施形態について図９を参照して説明する。図９は、本実施形態の動作イメージを示す。
【００６９】
第４の実施形態の車両構成およびエンジン始動方法は第２の実施形態と同様であり、更に第２クラッチ４のスリップ回転数Nsを考慮した場合の実施形態である。
【００７０】
本実施形態におけるハイブリッド車両の制御装置は、第２の実施形態と同様に、エンジンクランキングを始動用モータトルクと第１クラッチトルクの併用、或いは第１クラッチトルクのみで行う。したがって、要求駆動力変化率αは、エンジン始動完了時に要求駆動力がモータトルク上限値からマージントルクTmと第１クラッチトルクTCL1の両方を引いた値に到達するように演算する。駆動力変化率α[Nm/s]の演算は、第２クラッチ４のスリップ回転数Nsおよびエンジン始動に必要な第1クラッチトルクTCL1を考慮した車両運動方程式である次（４）式をαについて解くことにより行う。
【００７１】
【数４】
2015093663.tif 000006
【００７２】
ここで、本実施形態においては、α・t+F00>Tmax-Tm-TCL1の場合は、α＝(Tmax-Tm-TCL1- F00)/tを用いる。
【００７３】
そして、要求駆動力変化率αを始動判断閾値[Nm/s]と比較し、閾値以下になった場合はエンジン始動を開始する。エンジン始動中は、始動判断閾値[Nm/s]で駆動力の変化率を制限する。
【００７４】
以上、第４の実施形態におけるハイブリッド車両の制御装置に依れば、駆動力変化率は、エンジン２の始動完了時に要求駆動力がモータトルク上限値からマージントルクTmとエンジン２の始動に必要な第１クラッチトルクTCL1を引いた値に到達するように演算する。これにより、エンジン始動にエンジン２と駆動用モータ1間のクラッチトルクを使う場合であっても、エンジン始動中に駆動力がモータトルク上限値を超えない範囲で駆動力の上昇量を確保することができ、意図せず駆動力が停滞、或いは低下することを防ぐことができる。
【００７５】
更に、第４の実施形態におけるハイブリッド車両の制御装置に依れば、エンジン２の始動開始後に第２クラッチ４をスリップさせることにより、または既にスリップ状態にある場合は第２クラッチ４のスリップ回転数を増加させることによって、モータ回転数が第２クラッチ４の出力回転数より高い状態でエンジン始動を行う場合に、要求駆動力変化率αは、第２クラッチ４のスリップ回転数増加量と駆動用モータ１のモータ回転数と車両運動方程式と要求駆動力と走行抵抗とエンジン２の始動にかかる時間に基づいて演算する。これにより、エンジン始動開始後に駆動用モータ１と駆動輪の間のクラッチスリップ量が変化する場合においても、エンジン始動中に駆動力がモータトルク上限値を超えない範囲で駆動力の上昇量を確保することができ、意図せず駆動力が停滞、或いは低下することを防ぐことができる。
【００７６】
本発明は、上述した実施形態に限定されることはない。
【符号の説明】
【００７７】
１…駆動用モータ
２…エンジン
３…第１クラッチ（エンジン動力伝達手段）
４…第２クラッチ（総動力伝達手段）
６…エンジン始動用モータ
１５…統合コントローラ（要求駆動力変化率演算手段、エンジン始動制御手段）
１９…モータコントローラ（駆動力制限手段）
【図２】
2015093663.tif 000007
【図６】
2015093663.tif 000008
【図１】
2015093663.tif 000009
【図３】
2015093663.tif 000010
【図４】
2015093663.tif 000011
【図５】
2015093663.tif 000012
【図７】
2015093663.tif 000013
【図８】
2015093663.tif 000014
【図９】
2015093663.tif 000015